(57)【特許請求の範囲】
【請求項１】
上部ランナ及び床ランナと、該ランナの間に垂直に建込まれた押出成形板とを有し、該押出成形板は、間仕切壁内に突出するリブ部分を裏面に備え、前記上部ランナの側縁部分を挿入可能な溝が前記リブ部分の上端部に形成された乾式工法且つスタッドレス形式の間仕切壁構造において、
前記上部ランナの側縁部分と、前記溝の内側面との間に介挿される一対の被着部と、両側の被着部を相互連結する連結帯とを備えた低摩擦部材を有し、
前記被着部は、前記側縁部分及び内側面に滑動可能に接し、前記側縁部分及び内側面の擦過による擦過音の発生を防止することを特徴とする間仕切壁構造。
【請求項２】
前記低摩擦部材は、合成樹脂、ゴム又はエラストマーの一体成形部品からなることを特徴とする請求項１に記載の間仕切壁構造。
【請求項３】
前記低摩擦部材は、合成樹脂、ゴム又はエラストマーの板体を曲げ加工した曲げ加工部品からなることを特徴とする請求項１に記載の間仕切壁構造。
【請求項４】
前記低摩擦部材は、前記リブの幅と実質的に同じ幅を有することを特徴とする請求項２又は３に記載の間仕切壁構造。
【請求項５】
前記低摩擦部材は、前記上部ランナに沿って延びる長尺部材からなることを特徴とする請求項２又は３に記載の間仕切壁構造。
【発明の詳細な説明】
【０００１】
【発明の属する技術分野】
本発明は、乾式工法の間仕切壁構造に関するものであり、より詳細には、押出成形板により壁面を形成するスタッドレス形式の間仕切壁構造に関するものである。
【０００２】
【従来の技術】
建築物又は工作物における乾式工法の間仕切壁として、石膏ボード又は珪酸カルシウム板等の建築用面材（ボード材料）を鋼製スタッドの間柱に取付けてなる軸組構造の軽量鉄骨間仕切壁が広く実用に供されている。この構造形式の間仕切壁では、鋼製スタッドは、壁芯に沿って所定間隔を隔てて整列配置され、鋼製スタッドの上端部及び下端部は、上部ランナ及び床ランナに夫々固定される。壁面を形成するボード材料は、ランナ及び鋼製スタッドの軸組構造体に対して、ビス、ステープル、接着剤等によって取付けられる。
【０００３】
近年、中・高層建築物において強風時等に発生する間仕切壁の異音が問題視されている。この種の異音は、一般に擦過音と呼ばれており、擦過音の問題を解決する種々の対策が、これまで提案されてきた。
【０００４】
擦過音は、主として、建築物の挙動又は層間変位に起因すると考えられている。例えば、強風時に建築物が長周期で振動し、各フロア間の層間変位が生じると、意図せぬ強制力又は外力が間仕切壁に働き、間仕切壁の構成部材に応力が作用する。このような間仕切壁内の応力により、間仕切壁の各構成部材は相対変位しようとする結果、摩擦接触する部材は、キシミ音等の擦過音を発生させる。
【０００５】
このような擦過音の発生を防止すべく、実開平６−１４３１０号公報に開示される如く、ＰＰテープ、テフロン（登録商標）テープ等の低摩擦の滑性材料をスタッド、ランナ及びボードの接触部に介挿したり、或いは、特公平４−４７７４２号公報に開示される如く、擦過音低減用の特殊金具を介して、上階床スラブ又は梁等の上部構造体と上部ランナとを連結する対策などが提案され、これらの対策は、既に実用化している。
【０００６】
【発明が解決しようとする課題】
擦過音の発生は、これまで、軽鉄スタッドを備えた軽鉄間仕切壁に特有の課題と考えられてきた。このため、軽鉄スタッドを備えていないスタッドレス構造（ノンスタッド構造とも呼ばれる）の間仕切壁、例えば、垂直リブ又は縦リブを備えたリブ付きボード又は押出成形板を建込む形式の間仕切壁においては、擦過音の問題が生じないと考えられ、この形式の間仕切壁では、擦過音の発生は、格別に問題視されず、その対策も検討されていない。
【０００７】
しかしながら、押出成形板を上下のランナの間に建込むスタッドレス形式の間仕切壁において、軽鉄間仕切壁と同様に擦過音が発生することが、本発明者等によって確認されたことから、この形式の間仕切壁においても、擦過音対策を講ずる必要性が認識されるに至った。
【０００８】
本発明は、かかる事情に鑑みてなされたものであり、その目的とするところは、押出成形板により壁面を形成するスタッドレス形式の間仕切壁構造に関し、簡易な施工により確実に擦過音の発生を防止することにある。
【０００９】
【課題を解決するための手段及び作用】
本発明は、上記目的を達成すべく、上部ランナ及び床ランナと、該ランナの間に垂直に建込まれた押出成形板とを有し、該押出成形板は、間仕切壁内に突出するリブ部分を裏面に備え、前記上部ランナの側縁部分を挿入可能な溝が前記リブ部分の上端部に形成された乾式工法且つスタッドレス形式の間仕切壁構造において、
前記上部ランナの側縁部分と、前記溝の内側面との間に介挿される一対の被着部と、両側の被着部を相互連結する連結帯とを備えた低摩擦部材を有し、
前記被着部は、前記側縁部分及び内側面に滑動可能に接し、前記側縁部分及び内側面の擦過による擦過音の発生を防止することを特徴とする間仕切壁構造を提供する。
【００１０】
本発明の上記構成によれば、低摩擦部材は、押出成形板の上部溝に挿入され、溝の内側面と上部ランナの縁部との接触を阻止し、押出成形板と上部ランナとの接触による擦過音の発生を防止する。上記構造の間仕切壁においては、擦過音の発生は、このような擦過音防止手段により実質的に完全に解消する。低摩擦部材は、押出成形板を建込む直前に上部ランナの両縁部に取付ければ良いので、間仕切壁工事の他の工程に影響を及ぼすことなく、迅速且つ簡便に擦過音防止対策を講ずることができる。しかも、低摩擦部材は、安価に量産可能な成形部品又は加工部品として建築工事現場に安定供給し得るので、間仕切壁の工事費に実質的な影響を及ぼさない。
【００１１】
【発明の実施の形態】
本発明の好適な実施形態によれば、上記低摩擦部材は、合成樹脂、ゴム又はエラストマーの一体成形部品からなる。本発明の他の実施形態によれば、上記低摩擦部材は、合成樹脂、ゴム又はエラストマーの板体を曲げ加工した曲げ加工部品からなる。
【００１２】
本発明の更に好適な実施形態によれば、上記低摩擦部材は、上記リブの幅と実質的に同じ幅を有する。本発明の他の好適な実施形態によれば、上記低摩擦部材は、上部ランナに沿って延びる長尺部材からなる。
【００１３】
好ましくは、耐火材料又は遮音材料が、押出成形板の上端面と上階床構造体との間に介挿される。耐火材料は、間仕切壁の耐火性能を向上するとともに、押出成形板と建築構造体との相対変位を吸収する緩衝材として機能する。また、遮音材料は、間仕切壁内部に発生する異音が室内に漏洩するのを防止する。
【００１４】
【実施例】
以下、添付図面を参照して、本発明に係る間仕切壁構造の実施例について、詳細に説明する。
図１及び図２は、本発明による間仕切壁構造の実施例を示す縦断面図及びＩ−Ｉ線断面図である。
【００１５】
本実施例において、スタッドレス構造の間仕切壁１が、鉄筋コンクリート床スラブＦ１上に施工される。間仕切壁１の下端部は、床スラブＦ１に固定され、間仕切壁１の上端部は、上階の鉄筋コンクリート床スラブＦ２に固定される。床ランナ１１は、一対のＬ型又は山型鋼材からなり、上部ランナ１２は、左右の側縁部（ウェブ部）１９を備えた軽量溝型鋼からなる。ランナ１１、１２は、アンカーボルト等の係止具１３によって床スラブＦ１、Ｆ２に夫々固定される。床ランナ１１の水平部分には、ロックウール等の緩衝材８が敷設され、押出成形板２の平坦な下端面が、緩衝材８上に載置される。押出成形板２は、上下のランナ１１、１２の間に垂直に建て込まれる。グラスウール又はロックウール等の断熱材１４が両側の押出成形板２の間において壁芯位置に挿入される。
【００１６】
押出成形板２は、石膏又は窯業系材料（セメント等）を押出成形法により成形した面状建材であり、図２に示す如く、側縁部及び中央部に垂直リブ２１、２２を備える。押出成形板２の面剛性は、垂直リブ２１、２２により補強されるので、ランナ１１、１２の両側に配置された押出成形板２は、上下の床スラブＦ１、Ｆ２の間に自立し、間仕切壁１の両側に内装下地壁面を形成する。好ましくは、押出成形板２の素材は、合成繊維、ガラス繊維又は天然繊維等の補強繊維を含有する。
【００１７】
垂直リブ２１、２２の上端部には、上部ランナ１２の側縁部１９を挿入可能な溝２５が形成される。押出成形板２の建込み時に、作業員は、押出成形板２を若干傾斜させて側縁部１９を溝２５内に差し込みながら、押出成形板２の下端面を緩衝材８上に載置し、これにより、押出成形板２を下部ランナ１１上に垂直に起立させる。この結果、側縁部１９は、図１に示す如く、溝２５内に完全に挿入され、押出成形板２の荷重は、緩衝材８を介して下部ランナ１１の水平部分に支持される。
【００１８】
両側の押出成形板２の建込み後、押出成形板２の下端部は、タッピングネジ又はボードネジ９等によって下部ランナ１１の垂直部分に固定され、上貼ボード３が、ステープル等の係止具及び／又は接着剤によって押出成形板２の表面に固定される。上貼ボード３として、石膏ボード、石膏板、硬質石膏板（比重約１．２５）、ガラス繊維補強石膏板（比重約１．０）、珪酸カルシウム板等の不燃性の建材ボードを好適に使用し得る。上貼ボード３の表面には、塗装又はクロス等の表装仕上材４が施工される。上貼ボード３として、化粧石膏ボード、化粧セメント板、化粧スレート、化粧珪酸カルシウム板、化粧ＭＤＦ等の不燃性の内装化粧板を使用しても良い。
【００１９】
床仕上材６が、床スラブＦ１上に施工され、巾木７が、間仕切壁１の下端縁に取付けられる。巾木７として、汎用の既製巾木、例えば、ビニール巾木等を使用し得る。天井軽鉄下地Ｃが、上階床スラブＦ２に懸吊され、天井仕上材５が、天井軽鉄下地Ｃに取付けられる。天井仕上材５は、天井廻り縁等の見切り手段１５を介して化粧ボード３の室内側壁面に連接する。見切り手段１５として、樹脂又は金属製の既製見切り縁又はジョイナーや、木材の加工品等を使用し得る。所望により、天井廻り縁部分に目透かし目地を形成し、或いは、コーキング材又はシーリング材を充填したシール材充填目地を形成しても良い。
【００２０】
図３及び図４は、間仕切壁１０の上部構造を示す拡大断面図及び分解斜視図である。
押出成形板２の上端面は、上階床スラブＦ２の下面から僅かに間隔を隔てており、耐火性充填材４０が、上端面２２と上階床スラブＦ２との間に充填される。上貼ボード３の上端面も又、上階床スラブＦ２の下面から僅かに間隔を隔てており、該上端面と上階床スラブＦ２との間には、遮音性シーリング材４１が充填される。耐火性充填材４０として、耐火目地用ロックウールフェルト、例えば、「タイガーロックフェルト（２２０kg/m3)」（吉野石膏株式会社製品）を好適に使用し、遮音性シーリング材５０として、例えば、「タイガーＡＣタイト」（アクリル系シール材）、「タイガージプタイト」（無機質石膏系シール材）又は「タイガー耐火シーラント」（層間変位追従型変成シリコンシール材）等のシール材（いずれも吉野石膏株式会社製品）を好適に使用し得る。
【００２１】
擦過音の発生を防止する低摩擦部材５０が、溝２５の内側面と上部ランナ１２の側縁部１９との間に介挿される。低摩擦部材５０は、左右一対の被着部５１と、左右の被着部５１を相互連結する連結帯５２とから構成される。被着部５１及び連結帯５２の幅Ｗは、垂直リブ２１、２２の幅と同等の寸法を有し、被着部５１の厚さＴは、溝２５の溝幅（最小溝幅）と同等の寸法を有する。
【００２２】
Ｕ字形の被着部５１は、連結帯５２から垂下する垂下部５３と、連接部５４を介して垂下部５３と連接する立上部５５とから構成される。側縁部１９は、垂下部５３及び立上部５５の間の間隙５６に挿入され、被着部５１は、上部ランナ１２の側縁部１９を被覆する。
【００２３】
間仕切壁１の施工において、低摩擦部材５０は、押出成形板２の建込み直前に上部ランナ１２に装着される。溝２５は、上部テーパ２６を備え、上向きに若干拡開しているので、被着部５１は、溝２５内に比較的容易に挿入される。
【００２４】
間仕切壁１の完成後、低摩擦部材５０は、リブ２１、２２と上部ランナ１２との間に介挿され、上部ランナ１２が建築物の層間変位に伴って変位する際、側縁部１０とリブ２１、２２との相対的な滑動を可能にし、側縁部１９と溝２５の内側面との擦過により擦過音が発生するのを防止する。
【００２５】
好ましくは、低摩擦部材５０は、硬質、半硬質又は軟質の合成ゴム、天然ゴム、エラストマー、硬質塩ビ又はウレタン等の合成樹脂、合成ゴム及び合成樹脂の混合材料、或いは、短繊維等の補強材を含有したゴム又はエラストマーなどの成形材料を一体成形した一体成形部品として量産される。Ｕ字形被着部５１を両端に備えた合成樹脂等の一体成形部品、即ち、低摩擦部材５０は、適当数を施工現場に供給し、間仕切壁工事の進捗に相応した適切な時期に上部ランナ１２の所定位置に装着すれば良く、取り扱いが極めて簡便である。
【００２６】
図５及び図６は、上記低摩擦部材の変形例を示す間仕切壁上部の分解斜視図である。
図５に示す低摩擦部材５０は、リブ２１、２２と同等の幅を有する比較的硬質の樹脂板を曲げ加工した加工部品からなる。低摩擦部材５０の両端には、折曲部５４にて屈曲したＶ字形の被着部５１が形成され、上部ランナ１２の側縁部１９は、垂下部５３及び立上部５５の間の間隙５６に挿入される。被着部５１は、側縁部１９を被覆し、押出成形板２の建込みにより、側縁部１９と溝２５の内側面との間に介挿される。
【００２７】
図６に示す低摩擦部材５０は、上部ランナ１２の長手方向に延びる長尺部材として成形される。左右の被着部５１は、上部ランナ１２の側縁部１９に装着される。このような低摩擦部材５０によれば、リブ２１、２２の位置と直接に関連せずに低摩擦部材５０を上部ランナ１２に装着することができる。従って、例えば、図７に示す如く、両側の押出成形板２に関し、リブ２１、２２の位置を千鳥配列に配置し得る。なお、低摩擦部材５０は、適当な寸法に分断しても良い。
【００２８】
本発明者の実験によれば、上記低摩擦部材５０を押出成形板２の上端部と上部ランナ１２との間に配置した間仕切壁１では、擦過音は発生せず、擦過音の問題は、実質的に解消し、従って、低摩擦部材５０は、擦過音防止手段として有効に作用すると判明した。しかも、上記低摩擦部材５０は、簡易な施工性と、有効な擦過音防止作用とを兼ね備えており、同時に、安価に製造可能な構造を有するので、実務的に極めて有利である。
【００２９】
以上、本発明の好適な実施例について詳細に説明したが、本発明は上記実施例に限定されるものではなく、特許請求の範囲に記載された本発明の範囲内で種々の変形又は変更が可能であり、該変形例又は変更例も又、本発明の範囲内に含まれるものであることは、いうまでもない。
【００３０】
例えば、垂直リブ２１、２２は、中実に成形しても、中空に成形しても良く、複数の垂直リブ２２を垂直リブ２１の間に形成しても良い。
【００３１】
また、低摩擦部材５０は、金属製薄板の曲げ成形部材にテフロン（登録商標）加工等の摩擦低減加工を施すことにより製作しても良い。
更に、本発明の上記構成は、リブ付き石膏ボード等に適用しても良い。
【００３２】
【発明の効果】
以上説明した如く、本発明の上記構成によれば、押出成形板により壁面を形成するスタッドレス形式の間仕切壁構造において、簡易な施工により確実に擦過音の発生を防止可能な間仕切壁構造が提供される。
【図面の簡単な説明】
【図１】本発明による間仕切壁の実施例を示す縦断面図である。
【図２】図１のＩ−Ｉ線における間仕切壁の断面図である。
【図３】図１及び図２に示す間仕切壁の上部構造を示す拡大断面図である。
【図４】図１及び図２に示す間仕切壁の上部構造を示す分解斜視図である。
【図５】低摩擦部材の変形例を示す間仕切壁上部の分解斜視図である。
【図６】低摩擦部材の他の変形例を示す間仕切壁上部の分解斜視図である。
【図７】間仕切壁内における押出成形板の補強リブの配列（千鳥配列）を示す間仕切壁の横断面図である。
【符号の説明】
１  間仕切壁
２  押出成形板
３  上貼ボード
１１  床ランナ
１２  上部ランナ
２１、２２  垂直リブ
１９  側縁部
２５  溝
５１  被着部
５２  連結帯
５３  垂下部
５４  連接部
５５  立上部
５６  間隙
【図１】
0004526740.tif 000002
【図２】
0004526740.tif 000003
【図３】
0004526740.tif 000004
【図４】
0004526740.tif 000005
【図５】
0004526740.tif 000006
【図６】
0004526740.tif 000007
【図７】
0004526740.tif 000008